(57)【要約】【課題】発熱および消費電力をより少なくする。【解決手段】内部温度計測部２４は、監視装置１１の内部温度を計測する。制御部２５は、第１の状態において、内部温度が第１の閾値以上であると判定された場合、第１の状態から第２の状態に遷移して、所定の期間、第２の状態を維持し、所定の期間が経過した場合、内部温度が、第１の閾値より低い第２の閾値以上であると判定されたとき、さらに、所定の期間、第２の状態を維持し、内部温度が第２の閾値未満であると判定されたとき、第２の状態から第１の状態に遷移するように、状態の遷移を制御する。本発明は、タンク内に保管されている液体の液面を監視する監視装置に適用できる。【選択図】図１
2009015546.tif 000002
【特許請求の範囲】
【請求項１】
対象物の状態を計測する第１の状態、およびより少ない電力を消費する第２の状態のいずれか一方に遷移して、前記対象物の状態を監視する監視装置において、
自分自身の内部温度を計測する計測手段と、
前記第１の状態において、前記内部温度が第１の閾値以上であると判定された場合、前記第１の状態から前記第２の状態に遷移して、所定の期間、前記第２の状態を維持し、前記期間が経過した場合、前記内部温度が、前記第１の閾値より低い第２の閾値以上であると判定されたとき、さらに、前記期間、前記第２の状態を維持し、前記内部温度が前記第２の閾値未満であると判定されたとき、前記第２の状態から前記第１の状態に遷移するように、状態の遷移を制御する制御手段と
を含むことを特徴とする監視装置。
【発明の詳細な説明】
【技術分野】
【０００１】
本発明は監視装置に関し、特に、監視装置自身の発熱および消費電力をより少なくすることができるようにした監視装置に関する。
【背景技術】
【０００２】
所望の物質をタンクやコンテナなどの容器に入れて保管する場合、容器に保管されている物質の状態、および温度、湿度、または圧力などの容器内の環境を監視することが出来ると大変便利である。
【０００３】
例えば、貯水タンクに水を保管する場合、水がタンクから溢れ出ることのないように、または、タンク内の水が完全になくなったりしないように、水面の高さを監視することによりタンク内の水の残量（貯水量）を正確に把握する必要がある。
【０００４】
従来、監視装置としては、発光部および受光部を設け、発光部からの光が被測定物体で反射され、受光部に受光されるまでの時間から被測定物体までの距離を測定する装置もある（例えば、特許文献１参照）。この装置においては、発光部および受光部がタンクの頂部に設けられ、タンク内の液面に浮くフロートの上部に反射体を取り付けることにより、発光部からの光が反射体に反射され受光部に入射する。そして、発光から受光までの時間を基に、反射体までの距離を計測することによって液面の監視を行う。
【０００５】
また、タンク内壁面に抵抗線を鉛直方向に張った検出部を設け、抵抗値の変化を計測することにより液面の監視を行うものもある（例えば、特許文献２参照）。
【０００６】
【特許文献１】特開平１０−３００５５８号公報
【０００７】
【特許文献２】特開平５−２０９７７３号公報
【発明の開示】
【発明が解決しようとする課題】
【０００８】
しかしながら、従来の監視装置においては、監視装置自身の発熱に対する考慮がなされていないため、発熱により、監視装置が正常に動作しなくなるという問題があった。
【０００９】
このような問題を解決する案として、監視装置にファンを設けることができるが、ほこりによって、ファンが作動しなくなったりするという課題があった。また、ファンを設けることで、さらに多くの消費電力が必要となり、設置のコストもかかるという課題があった。
【００１０】
本発明は、このような状況に鑑みてなされたものであり、監視装置自身の発熱および消費電力をより少なくすることが可能な監視装置を提供することを目的とする。
【課題を解決するための手段】
【００１１】
本発明の監視装置は、自分自身の内部温度を計測する計測手段と、第１の状態において、内部温度が第１の閾値以上であると判定された場合、第１の状態から第２の状態に遷移して、所定の期間、第２の状態を維持し、所定の期間が経過した場合、内部温度が、第１の閾値より低い第２の閾値以上であると判定されたとき、さらに、所定の期間、第２の状態を維持し、内部温度が第２の閾値未満であると判定されたとき、第２の状態から第１の状態に遷移するように、状態の遷移を制御する制御手段とを含むことを特徴とする。
【００１２】
監視装置は、独立した装置であってもよいし、監視処理を行うブロックであってもよい。
【００１３】
本発明の監視装置においては、自分自身の内部温度が計測され、第１の状態において、内部温度が第１の閾値以上であると判定された場合、第１の状態から第２の状態に遷移して、所定の期間、第２の状態を維持し、所定の期間が経過した場合、内部温度が、第１の閾値より低い第２の閾値以上であると判定されたとき、さらに、所定の期間、第２の状態を維持し、内部温度が第２の閾値未満であると判定されたとき、第２の状態から第１の状態に遷移するように、状態の遷移が制御される。
【００１４】
従って本発明によれば、内部温度を基に、より少ない電力を消費する第２の状態に遷移するようにしたので、監視装置自身の発熱および消費電力をより少なくすることができる。
【発明の効果】
【００１５】
本発明によれば、監視する対象の状態を計測することができる。また、本発明によれば、監視装置自身の発熱および消費電力をより少なくすることができる。
【発明を実施するための最良の形態】
【００１６】
以下、図を参照して、本発明の実施の形態について説明する。
【００１７】
図１は、本発明に係る監視装置１１の一実施の形態の構成を示すブロック図である。
【００１８】
監視装置１１は、電源供給部２１、電源切換部２２、状態計測部２３、内部温度計測部２４、制御部２５、タイマ２６、および通信部２７を含むように構成される。
【００１９】
電源供給部２１は、図示せぬＡＣ（交流）電源から供給されたＡＣ電力を整流することにより、ＤＣ（直流）電力に変換し、変換されたＤＣ電力を電源切換部２２に供給する。
【００２０】
電源供給部２１は、充電式バッテリ３１を備えている。電源供給部２１の充電式バッテリ３１は、ＡＣ電源の断電が発生した場合、ＤＣ電力を電源切換部２２に供給する。電源供給部２１の充電式バッテリ３１は、例えば、JIS（Japan Industrial Standard）に規定されている6LR61の規格、いわゆる００６Ｐ型の電池と同形状の充電式電池である。
【００２１】
電源供給部２１は、断電が発生した場合、電源をＡＣ電源から電源供給部２１の充電式バッテリ３１に切換え、断電が発生した旨の信号を制御部２５に供給する。電源供給部２１は、断電から復帰した場合、電源を電源供給部２１の充電式バッテリ３１からＡＣ電源に切換え、断電から復帰した旨の信号を制御部２５に供給する。また、電源供給部２１は、充電式バッテリ３１を充電する。
【００２２】
電源切換部２２は、電源供給部２１から供給されたＤＣ電力を状態計測部２３、内部温度計測部２４、制御部２５、タイマ２６、および通信部２７に供給する。電源切換部２２は、制御部２５からスリープ状態にする旨の信号が供給された場合、状態計測部２３、内部温度計測部２４、および通信部２７へのＤＣ電力の供給を遮断（抑制）する。
【００２３】
ここで、スリープ状態とは、監視装置１１の内部温度が所定の値以上となった場合、監視装置１１自身の発熱および消費電力を抑えるために所定の部位、例えば、状態計測部２３、内部温度計測部２４、および通信部２７へのＤＣ電力の供給を抑制する状態である。また、電源切換部２２は、例えば、電気信号によって電気回路の接点を開閉するリレーである。
【００２４】
状態計測部２３は、監視装置１１が監視する対象または雰囲気の状態を計測する。例えば、状態計測部２３は、タンク内の液面の高さを計測し、計測した結果を示す計測データを制御部２５に供給する。
【００２５】
内部温度計測部２４は、制御部２５の制御に基づき、監視装置１１の内部温度を計測し、計測した内部温度を制御部２５に供給する。
【００２６】
制御部２５は、監視プログラムを実行する図示せぬCPU（Central Processing Unit）によって実現され、監視装置１１全体を制御する。
【００２７】
制御部２５は、電源供給部２１から供給された断電が発生した旨の信号および断電から復帰した旨の信号、状態計測部２３から供給された計測データ、および内部温度計測部２４から供給された内部温度を基に、相手に送信する各種のデータを生成し、生成した各種のデータを通信部２７に供給する。例えば、制御部２５は、あらかじめ定めた閾値と比較することにより、計測した液面の高さが正常でなかった場合、警報データを生成する。なお、各種のデータに対応する処理の詳細は後述する。
【００２８】
制御部２５は、電源供給部２１から供給された断電が発生した旨の信号および断電から復帰した旨の信号、状態計測部２３から供給された警報データ、および内部温度計測部２４から供給された内部温度を基に、スリープ状態にする旨の信号またはスリープ状態にしない旨の信号を電源切換部２１に供給する。また、制御部２５は、スリープ状態にする場合、内部温度計測部２４を所定の期間待機させる。
【００２９】
以下、スリープ状態にしない状態を通常状態とも称する。
【００３０】
タイマ２６は、制御部２５の制御の基、監視装置１１がスリープする期間および状態計測部２３から供給された警報データを相手に送信するまでの時間を管理するためのタイマ値を制御部２５に供給する。
【００３１】
通信部２７は、図示せぬ通信網を介して、データの送受信を行う。通信部２７は、制御部２５から供給された各種のデータを、通信網を介して、相手に送信する。
【００３２】
次に、図２を参照して、監視プログラムを実行する監視装置１１による状態制御の処理を説明する。
【００３３】
ステップＳ１１において、制御部２５は、内部温度計測部２４から内部温度を取得する。制御部２５は、取得された内部温度があらかじめ定めた閾値であるＨ値以上であるか否かを判定し、内部温度がＨ値以上でないと判定された場合、ステップＳ１１に戻り、Ｈ値以上であると判定されるまで、内部温度を取得し、判定の処理を繰り返す。
【００３４】
一方、ステップＳ１１において、内部温度がＨ値以上であると判定された場合、ステップＳ１２に進み、制御部２５は、監視装置１１をスリープ状態にする。
【００３５】
ここで、Ｈ値は、制御部２５がスリープ状態にするか否かを判定するときの基準となる温度であり、例えば、Ｈ値は６５度とすることができる。
【００３６】
また、例えば、ステップＳ１２において、制御部２５は、内部温度計測部２４から取得された内部温度を含むスリープ状態にする旨のデータを生成し、生成したスリープ状態にする旨のデータを通信部２７に供給する。制御部２５は、供給したスリープ状態にする旨のデータを、通信部２７に通信網を介して、相手に送信させる。
【００３７】
さらに、制御部２５は、スリープ状態にする旨の信号を電源切換部２２に供給し、電源切換部２２に状態計測部２３、内部温度計測部２４、および通信部２７へのＤＣ電力の供給を抑制させる。
【００３８】
ステップＳ１３において、制御部２５は、内部温度計測部２４を待ち状態として１５分間待機させる。例えば、ステップＳ１３において、制御部２５は、タイマ２６の値を０分にセットし、タイマ２６の値が時間の経過に対応して増加するとき、タイマ２６の値と１５分間などの所定の値とを比較することによってタイマ２６が終了したか否かを判定し、タイマ２６が終了したと判定されるまで内部温度計測部２４を待ち状態として待機させる。
【００３９】
また、例えば、ステップＳ１３において、タイマ２６の値を１５分にセットし、タイマ２６の値が時間の経過に対応して値を減少させるとき、制御部２５は、タイマ２６の値と０分などの所定の値とを比較することにより、タイマ２６が終了したか否かを判定し、タイマ２６が終了したと判定されるまで内部温度計測部２４を待ち状態として待機させる。
【００４０】
この場合における、タイマ２６の値と比較される１５分は、内部温度計測部２４を待機させる期間の例であり、本発明を限定するものではない。また、以下に説明するタイマ２６に関する処理において、同様である。
【００４１】
ステップＳ１４において、制御部２５は、内部温度計測部２４に、監視装置１１の内部温度を計測させ、内部温度計測部２４から内部温度の瞬時値を取得する。
【００４２】
より詳細には、ステップＳ１３において、タイマ２６が終了したと判定された場合、ステップＳ１４に進み、制御部２５は、スリープ状態にしない旨の信号を電源切換部２２に供給し、電源切換部２２に状態計測部２３、内部温度計測部２４、および通信部２７にＤＣ電力を供給させる。そして、制御部２５は、内部温度計測部２４に内部温度の瞬時値を計測させ、計測させた内部温度の瞬時値を制御部２５に供給させる。
【００４３】
ステップＳ１５において、制御部２５は、内部温度計測部２４から取得した内部温度があらかじめ定めた他の閾値であるＨＨ値以上であるか否かを判定し、ＨＨ値以上であると判定された場合、ステップＳ１６に進み、スリープ状態にする。ここで、ＨＨ値とは、制御部２５がスリープ状態にするか否かを判定するときの基準となるＨ値より高い温度を示す閾値であり、例えば、ＨＨ値は７５度とすることが出来る。
【００４４】
例えば、ステップＳ１６において、制御部２５は、スリープ状態にする旨の信号を電源切換部２２に供給し、電源切換部２２に状態計測部２３、内部温度計測部２４、および通信部２７へのＤＣ電力の供給を抑制させる。
【００４５】
ステップＳ１７において、制御部２５は、タイマ２６の値を６０分にセットし、タイマ２６が終了したと判定されるまで、内部温度計測部２４を待ち状態として待機させ、タイマ２６が終了したと判定された場合、処理はステップＳ１４に戻り、状態制御の処理を繰り返す。
【００４６】
このようにすることで、監視装置１１は、発熱により、内部温度があらかじめ定めた閾値より高くなった場合に、スリープし、所定の期間スリープした後、あらかじめ定めた閾値よりも高い、あらかじめ定めた他の閾値より内部温度が高かったとき、さらに長い期間スリープし、発熱をより少なくすることができる。
【００４７】
また、ステップＳ１５において、内部温度がＨＨ値以上でないと判定された場合、ステップＳ１８に進み、制御部２５は、内部温度計測部２４から１０秒間の内部温度の平均値を取得する。より詳細に説明すると、ステップＳ１８において、制御部２５は、内部温度計測部２４に１秒毎に内部温度の瞬時値を計測させ、計測させた内部温度の瞬時値を基に、１０秒間における内部温度の瞬時値の平均値を計算させる。そして、制御部２５は、計算させた１０秒間の内部温度の平均値を内部温度計測部２４から取得する。
【００４８】
ステップＳ１９において、制御部２５は、取得された１０秒間の内部温度の平均値があらかじめ定めたさらに他の閾値であるＬ値以上であるか否かを判定し、Ｌ値以上であると判定された場合、ステップＳ２０に進み、スリープ状態にする。ここで、Ｌ値とは、制御部２５がスリープ状態にするか否かを判定するときの基準となるＨ値より低い温度を示す閾値であり、例えば、Ｌ値は５５度とすることが出来る。
【００４９】
例えば、ステップＳ２０において、制御部２５は、電源切換部２２にスリープ状態にする旨の信号を供給し、電源切換部２２に状態計測部２３、内部温度計測部２４、および通信部２７へのＤＣ電力の供給を抑制させる。
【００５０】
ステップＳ２１において、制御部２５は、タイマ２６の値を１５分にセットし、タイマ２６が終了したと判定されるまで、内部温度計測部２４を待ち状態として待機させ、タイマ２６が終了したと判定された場合、処理はステップＳ１４に戻り、状態制御の処理を繰り返す。
【００５１】
また、ステップＳ１９において、内部温度がＬ値以上でないと判定された場合、ステップＳ２２に進み、制御部２５は、通常状態にする（スリープ状態にしない）旨の信号を電源切換部２２に供給し、電源切換部２２に状態計測部２３、内部温度計測部２４、および通信部２７へのＤＣ電力の供給を維持させる。そして、制御部２５は、内部温度を含む通常状態に復帰した旨のデータを生成し、通信部２７に供給する。さらに制御部２５は、通信部２７に通常状態に復帰した旨のデータを、通信網を介して、相手に送信させ、処理はステップＳ１１に戻り、上述した処理を繰り返す。
【００５２】
このようにして、制御部２５は、内部温度計測部２４による内部温度の計測結果を基に、監視装置１１の状態の制御の処理を行う。
【００５３】
図３のタイムチャートを参照して、スリープ状態から通常状態に復帰する場合における監視装置１１の処理について説明する。
【００５４】
図３における横方向は、時間を示す。時刻ｔ１から時刻ｔ２までのＤ１は、監視装置１１がスリープ状態であることを示し、時刻ｔ２から時刻ｔ３までのＤ２は、監視装置１１が通常状態であることを示す。
【００５５】
時刻ｔ１において、監視装置１１は、内部温度の瞬時値がＨ値以上になったので、内部温度を含むスリープ状態になる旨のデータを生成し、生成したスリープ状態になる旨のデータを、通信網を介して相手に送信する。監視装置１１は、スリープ状態になる旨のデータを送信してからスリープ状態になり、１５分間待機する。
【００５６】
時刻ｔ２において、監視装置１１は、スリープ状態となってから１５分が経過したので、内部温度の瞬時値を計測する。監視装置１１は、計測された内部温度の瞬時値がＨＨ値以下であったので、１０秒間の内部温度の平均値を計測する。そして、監視装置１１は、計測された１０秒間の内部温度の平均値がＬ値以下であったので、通常状態に復帰してから、内部温度を含む通常状態に復帰した旨のデータを生成し、生成した通常状態に復帰した旨のデータを、通信網を介して相手に送信する。
【００５７】
このようにして、監視装置１１は、スリープ状態から通常状態に復帰する場合、通常状態に復帰してから、通常状態に復帰した旨のデータを、通信網を介して相手に送信する。
【００５８】
次に図４のタイムチャートを参照して、監視装置１１が連続してスリープ状態になる場合における処理について説明する。
【００５９】
図４における横方向は、時間を示す。時刻ｔ２１から時刻ｔ２２までのＤ２１、時刻ｔ２２から時刻ｔ２３までのＤ２２、および時刻ｔ２３から時刻ｔ２４までのＤ２３は、監視装置１１がスリープ状態であることを示し、時刻ｔ２４から時刻ｔ２５までのＤ２４は、監視装置１１が通常状態であることを示す。
【００６０】
時刻ｔ２１において、監視装置１１は、内部温度の瞬時値がＨ値以上になったので、内部温度を含むスリープ状態になる旨のデータを生成し、生成したスリープ状態になる旨のデータを、通信網を介して相手に送信する。監視装置１１は、スリープ状態になる旨のデータを送信してからスリープ状態になり、１５分間待機する。
【００６１】
時刻ｔ２２において、監視装置１１は、スリープ状態となってから１５分が経過したので、内部温度の瞬時値を計測する。監視装置１１は、計測された内部温度の瞬時値がＨＨ値以下であったので、さらに１０秒間の内部温度の平均値を計測する。そして、監視装置１１は、計測された１０秒間の内部温度の平均値がＬ値以上であったので、スリープ状態になり、１５分間待機する。
【００６２】
時刻ｔ２３において、監視装置１１は、スリープ状態となってから１５分が経過したので、内部温度の瞬時値を計測する。監視装置１１は、計測された内部温度の瞬時値がＨＨ値以下であったので、１０秒間の内部温度の平均値を計測する。そして、監視装置１１は、計測された１０秒間の内部温度の平均値がＬ値以上であったので、スリープ状態になり、さらに１５分間待機する。
【００６３】
時刻ｔ２４において、監視装置１１は、スリープ状態となってから１５分が経過したので、内部温度の瞬時値を計測する。監視装置１１は、計測された内部温度の瞬時値がＨＨ値以下であったので、１０秒間の内部温度の平均値を計測する。そして、監視装置１１は、計測された１０秒間の内部温度の平均値がＬ値以下であったので、通常状態に復帰してから、内部温度を含む通常状態に復帰した旨のデータを生成し、生成した通常状態に復帰した旨のデータを、通信網を介して相手に送信する。
【００６４】
このようにして、監視装置１１は、連続してスリープ状態になる場合、スリープ状態を継続する旨のデータの送信を行わず、通常状態に復帰してから、通常状態に復帰した旨のデータを、通信網を介して相手に送信する。
【００６５】
図５のタイムチャートを参照して、警報状態において、内部温度の瞬時値がＨ値以上となった場合における監視装置１１の処理について説明する。
【００６６】
図５における横方向は、時間を示す。時刻ｔ４１から時刻ｔ４３までのＴ４１は、監視装置１１が検出遅延期間であることを示し、時刻ｔ４３から時刻ｔ４４までのＤ４２は、監視装置１１がスリープ状態であることを示し、時刻ｔ４４から時刻ｔ４５までのＤ４３は、監視装置１１が通常状態であることを示す。
【００６７】
ここで、検出遅延期間とは、タンク内の液面の高さが正常でなかった場合、例えば５分間などの所定の期間、警報データを相手に送信をせずに待機する期間である。監視装置１１は、検出遅延期間になると、検出遅延期間において、計測された液面の高さを基に、異常が発生したか否かを判定する。
【００６８】
換言すれば、監視装置１１は、計測された正常でない液面の高さが、例えば、外部からのタンクへの衝撃により発生した液面のゆれなどによる一時的な異常であるか、または、例えば、タンク内に保管されている物質が過多若しくは過少であるなどの異常であるかを判定する。監視装置１１は、異常が発生したと判定された場合、検出遅延期間が終了してから、警報データを、通信網を介して相手に送信し、異常が発生していない（一時的な異常であった）と判定された場合、警報データを送信せず、通常状態に復帰する。
【００６９】
時刻ｔ４１において、監視装置１１は、タンク内の液面の高さが正常でなかったので、検出遅延期間となり、５分間警報データを相手に送信をせずに待機する。
【００７０】
時刻ｔ４２において、監視装置１１は、内部温度がＨ値以上になったので、内部温度を含むスリープ状態になる旨のデータを生成し、生成したスリープ状態になる旨のデータを、通信網を介して相手に送信する。監視装置１１は、検出遅延期間であるので、検出遅延期間が終了するまで、スリープ状態にならない。
【００７１】
時刻ｔ４３において、監視装置１１は、検出遅延期間となってから５分が経過したので、時刻ｔ４１から時刻ｔ４３までの期間に計測された液面の高さを基に、異常が発生したか否かを判定する。監視装置１１は、異常が発生していない（一時的な異常であった）と判定し、相手に警報データを送信しない。
【００７２】
また、時刻ｔ４３において、検出遅延期間が終了したので、監視装置１１は、スリープ状態になり、１５分間待機する。
【００７３】
時刻ｔ４４において、監視装置１１は、時刻ｔ４３から１５分が経過したので、内部温度の瞬時値を計測する。監視装置１１は、計測された内部温度の瞬時値がＨＨ値以下であったので、１０秒間の内部温度の平均値を計測する。そして、監視装置１１は、計測された１０秒間の内部温度の平均値がＬ値以下であったので、通常状態に復帰してから、内部温度を含む通常状態に復帰した旨のデータを生成し、生成した通常状態に復帰した旨のデータを、通信網を介して相手に送信する。
【００７４】
このようにして、監視装置１１は、検出遅延期間において、内部温度の瞬時値がＨ値以上となった場合、検出遅延期間が終了してからスリープ状態になる。
【００７５】
図６のタイムチャートを参照して、断電状態になると同時に、内部温度の瞬時値がＨ値以上となった場合における監視装置１１の処理について説明する。
【００７６】
図６における横方向は、時間を示す。時刻ｔ６１から時刻ｔ６２までのＤ６１は、監視装置１１が断電状態であることを示し、時刻ｔ６２から時刻ｔ６３までのＤ６２は、監視装置１１がスリープ状態であることを示し、時刻ｔ６３から時刻ｔ６４までのＤ６３は監視装置１１が通常状態であることを示す。
【００７７】
ここで、断電状態とは、例えば、ＡＣ電源に異常が発生し、ＡＣ電源から監視装置１１にＡＣ電力が供給されなくなった状態である。監視装置１１は、断電状態になった場合、電源をＡＣ電源から、内蔵している充電式バッテリ３１に切換え、スリープ状態になる。そして、スリープ状態となってから５分経過すると、監視装置１１は、断電から復帰したか否かを判定する。
【００７８】
監視装置１１は、断電から復帰したか否かの判定結果が、断電から復帰していない旨の判定結果であるき、断電状態である旨のデータを生成し、生成した断電状態である旨のデータを、通信網を介して相手に送信してから、さらに５分間スリープ状態となって待機する。監視装置１１は、断電から復帰したと判定されるまで、５分間隔でスリープ状態になり、断電から復帰したか否かの判定を繰り返す。また、断電から復帰したか否かの判定結果が、断電から復帰した旨の判定結果であるとき、断電から復帰した旨のデータを生成し、生成した断電から復帰した旨のデータを、通信網を介して、相手に送信する。
【００７９】
時刻ｔ６１において、断電が発生したと同時に、内部温度の瞬時値がＨ値以上となったので、監視装置１１は、内部温度および断電警報を含むスリープ状態になる旨のデータを、通信網を介して、相手に送信し、５分間スリープ状態にして待機する。
【００８０】
時刻ｔ６２において、監視装置１１は、断電から復帰したので、断電状態から復帰し、スリープ状態になる旨のデータを生成し、生成した断電状態から復帰し、スリープ状態になる旨のデータを、通信網を介して相手に送信する。監視装置１１は、断電状態から復帰し、スリープ状態になる旨のデータを送信してから１５分間スリープ状態になる。
【００８１】
時刻ｔ６３において、スリープ状態となってから１５分が経過したので、監視装置１１は、内部温度の瞬時値を計測する。監視装置１１は、計測された内部温度の瞬時値がＨＨ値以下であったので、１０秒間の内部温度の平均値を計測する。そして、監視装置１１は、計測された１０秒間の内部温度の平均値がＬ値以下であったので、通常状態に復帰してから、内部温度を含む通常状態に復帰した旨のデータを生成し、生成した通常状態に復帰した旨のデータを、通信網を介して相手に送信する。
【００８２】
このようにして、監視装置１１は、断電状態になるのと同時刻に、内部温度の瞬時値がＨ値以上となった場合、断電状態に対する処理を優先して行い、断電状態から復帰してからスリープ状態になる。
【００８３】
以上のように、監視装置１１は、内部温度を基に、より少ない電力を消費するスリープ状態に遷移するようにしたので、監視装置自身の発熱および消費電力をより少なくすることができる。
【００８４】
本発明によれば、監視する対象の状態を計測する状態計測部を設けたので、監視する対象の状態を計測することができる。また、本発明によれば、内部温度によって、スリープ状態にするようにしたので、監視装置自身の発熱および消費電力をより少なくすることができる。
【００８５】
本発明は、タンク内に保管されている液体の液面を監視する監視装置、コンテナ内の温度、湿度、および圧力を監視する監視装置などに適用することができる。
【００８６】
次に、本発明の第２の実施例について、説明する。
【００８７】
図７は、本発明に係る計測システムの一実施の形態を示す図である。
【００８８】
携帯電話機７１は、通信網７２を介して、センタ７３と無線通信を行う。また、センタ７３には、通信網７４を介して、計測装置７５−１および計測装置７５−２が接続されている。
【００８９】
携帯電話機７１は、所望の装置またはタンクなどにおける、状態の計測を要求する旨の電子メールを生成し、生成した電子メールを、通信網７２を介して、センタ７３あてに送信する。センタ７３は、携帯電話機７１から送信されてきた電子メールを受信する。
【００９０】
センタ７３は、受信した電子メールを基に、状態の計測を要求する、計測要求を生成し、生成した計測要求を、通信網７４を介して、計測装置７５−１または計測装置７５−２あてに送信する。計測装置７５−１および計測装置７５−２は、センタ７３から送信されてきた計測要求を受信する。
【００９１】
計測装置７５−１および計測装置７５−２は、受信した計測要求を基に状態を計測し、計測結果を、通信網７４を介して、センタ７３あてに送信する。ここで、計測の対象となる装置または設備は、例えば、受変電設備の変圧器、汚水浄化設備、原材料を格納するタンクなどとすることができる。計測装置７５−１および計測装置７５−２は、例えば、電圧、電流、力率などを計測する。
【００９２】
センタ７３は、計測装置７５−１または計測装置７５−２から送信されてきた、計測結果を受信する。センタ７３は、計測結果を記録する。センタ７３は、受信した計測結果を基に、計測通知を生成し、生成した計測通知を、通信網７２を介して、携帯電話機７１あてに送信する。携帯電話機７１は、センタ７３から送信されてきた計測通知を受信し、受信した計測通知を表示させる。
【００９３】
以下、計測装置７５−１および計測装置７５−２を個々に区別する必要のない場合、単に計測装置７５と称する。
【００９４】
携帯電話機７１は、通信網７２を介して電子メールを、センタ７３あてに送信し、センタ７３から送信されてきた計測通知を受信する。
【００９５】
携帯電話機７１は、所望の装置または設備などにおける、状態の計測を要求する旨の電子メールを生成し、生成した電子メールを、通信網７２を介して、センタ７３あてに送信する。電子メールには、例えば、図８で示すように、電子メールの送信先である“宛先”、電子メールの送信元である“送信元”、電子メールの件名である“件名”、および電子メールの本文である“本文”のそれぞれを示す情報が含まれている。また、本文には、計測装置７５を特定する、計測装置７５に固有の計測装置ＩＤ（Identification）が含まれている。図８の例において、本文に含まれている計測装置ＩＤは、“ＡＡＡ”で表されている。
【００９６】
また、携帯電話機７１は、センタ７３から送信されてきた計測通知を受信し、受信した計測通知をディスプレイ（図示せず）に表示させる。
【００９７】
通信網７２は、例えば、携帯電話機の電話回線である、無線通信網である。
【００９８】
センタ７３は、携帯電話機７１から送信されてきた電子メールを受信し、受信した電子メールを基に、計測要求を生成し、生成した計測要求を、通信網７４を介して計測装置７５あてに送信する。また、センタ７３は、計測装置７５から送信されてきた計測結果を受信し、受信した計測結果を基に、計測通知を生成する。センタ７３は、生成した計測通知を、通信網７２を介して、携帯電話機７１あてに送信する。
【００９９】
センタ７３は、受信部８１、計測制御部８２、送信部８３、計測装置ＩＤテーブル記録部８４、および計測履歴記録部８５を含むように構成される。
【０１００】
受信部８１は、携帯電話機７１から送信されてきた電子メールを受信する。計測制御部８２は、受信された電子メールに含まれる計測装置ＩＤを基に、計測装置ＩＤテーブル記録部８４に記録されている、計測装置ＩＤテーブルを参照して、状態の計測を要求する旨の電子メールを受信したか否かを判定する。計測制御部８２は、状態の計測を要求する旨の電子メールを受信したと判定された場合、計測装置ＩＤを基に、計測要求を生成する。計測制御部８２は、状態の計測を要求する旨の電子メールを受信していないと判定された場合、計測要求を生成しない。
【０１０１】
より詳細には、計測制御部８２は、状態の計測を要求する旨の電子メールを受信したと判定された場合、計測装置ＩＤを基に、計測要求を生成する。また、計測制御部８２は、状態の計測を要求する旨の電子メールを受信していないと判定された場合、所定の期間毎（例えば、３０分毎）に計測要求を生成する。
【０１０２】
計測装置ＩＤテーブル記録部８４は、計測装置ＩＤテーブルを記録している。計測装置ＩＤテーブル記録部８４は、例えば、図９で示される計測装置ＩＤテーブルを記録している。計測装置ＩＤテーブルには、計測装置７５を特定する、計測装置７５に固有のＩＤである計測装置ＩＤおよび計測装置７５の通信網７４におけるＩＰ（Internet Protocol）アドレスが記録されている。したがって、例えば、計測装置ＩＤが“ＡＡＡ”である計測装置７５のＩＰアドレスは、“ＸＸＸ”であり、計測装置ＩＤが“ＢＢＢ”である計測装置７５のＩＰアドレスは、“ＹＹＹ”である。
【０１０３】
送信部８３は、計測制御部８２が生成した、計測要求を、通信網７４を介して、計測装置７５あてに送信する。通信網７４は、例えば、LAN（Local Area Network）などの通信網である。
【０１０４】
計測装置７５は、センタ７３から送信されてきた計測要求を受信する。また、計測装置７５は、受信した計測要求を基に、状態を計測し、計測した結果を示す計測結果を、通信網７４を介して、センタ７３あてに送信する。計測装置７５は、例えば、変圧器における電流、電圧、位相、および温度、タンクにおける液面の高さおよびタンク内の温度、炉における温度および湿度、並びにプレスマシンにおける油圧などを計測し、計測した結果を示す計測結果を、通信網７４を介して、センタ７３あてに送信する。
【０１０５】
受信部８１は、計測装置７５から送信されてきた計測結果を受信する。計測制御部８２は、計測履歴記録部８５を制御し、受信部８１が受信した計測結果を基に、計測履歴記録部８５に記録されている計測履歴を更新させる。
【０１０６】
計測履歴記録部８５は、計測装置７５によって計測された、状態の計測結果の履歴である、計測履歴を記録している。計測履歴記録部８５は、計測制御部８２の制御のもと、計測履歴を更新する。計測履歴記録部８５は、例えば、計測履歴として、計測装置ＩＤ、計測結果、および計測された時刻などを含む情報を記録している。
【０１０７】
計測制御部８２は、受信部８１が受信した計測結果および電子メールを基に、計測通知を生成する。送信部８３は、計測制御部８２が生成した計測通知を、通信網７２を介して、携帯電話機７１あてに送信する。
【０１０８】
次に、図１０のフローチャートを参照して、センタ７３による計測通知の送信の処理を説明する。
【０１０９】
ステップＳ７１において、計測制御部８２は、状態の計測を要求する旨の電子メールを受信したか否かを判定する。例えば、ステップＳ７１において、計測制御部８２は、受信された電子メールに含まれる計測装置ＩＤを基に、計測装置ＩＤテーブル記録部８４に記録されている、計測装置ＩＤテーブルを参照して、状態の計測を要求する旨の電子メールを受信したか否かを判定する。
【０１１０】
したがって、例えば、計測制御部７１は、受信された電子メールに含まれる計測装置ＩＤが“ＡＡＡ”であった場合、図９で示す計測装置ＩＤテーブルを参照して、状態の計測を要求する旨の電子メールを受信したか否かを判定する。この場合、計測装置ＩＤテーブルには、計測装置ＩＤが“ＡＡＡ”であり、ＩＰアドレスが“ＸＸＸ”である計測装置７５が登録されているので、計測制御部８２は、状態の計測を要求する旨の電子メールを受信したと判定する。
【０１１１】
ステップＳ７１において、状態の計測を要求する旨の電子メールを受信したと判定された場合、ステップＳ７２に進み、計測制御部８２は、受信された電子メールに含まれる計測装置ＩＤを基に、計測要求を生成する。
【０１１２】
より詳細には、ステップＳ７２において、計測制御部８２は、受信された電子メールに含まれる計測装置ＩＤを基に、計測装置ＩＤテーブルに記録されている、計測装置ＩＤに対応するＩＰアドレスあての計測要求を生成する。したがって、例えば、受信された電子メールに含まれる計測装置ＩＤが“ＡＡＡ”であった場合、計測制御部８２は、計測装置ＩＤテーブルを参照して、ＩＰアドレス“ＸＸＸ”あての計測要求を生成する。
【０１１３】
ステップＳ７３において、送信部８３は、計測制御部８２が生成した計測要求を、通信網７４を介して、計測装置７５あてに送信する。
【０１１４】
計測要求を受信した計測装置７５は、対象物の状態を計測し、計測した結果をセンタ７３に送信してくるので、ステップＳ７４において、受信部８１は、計測装置７５から送信されてきた計測結果を受信する。
【０１１５】
ステップＳ７５において、計測履歴記録部８５は、計測制御部８２の制御のもと、受信された計測結果を基に、計測履歴を更新する。
【０１１６】
ステップＳ７６において、計測制御部８２は、受信された計測結果および電子メールを基に、計測通知を生成する。例えば、ステップＳ７６において、計測制御部８２は、受信された計測結果および電子メールを基に、電子メールの送信元あての計測通知を生成する。
【０１１７】
ステップＳ７７において、送信部８３は、計測制御部８２が生成した計測通知を、通信網７２を介して、携帯電話機７１あてに送信し、手続きは、ステップＳ７１に戻り、上述した処理を繰り返す。例えば、ステップＳ７７において、送信部８３は、計測通知を格納した電子メールを、通信網７２を介して携帯電話機７１あてに送信する。
【０１１８】
また、ステップＳ７１において、状態の計測を要求する旨の電子メールを受信していないと判定された場合、手続きは、ステップＳ７１に戻り、状態の計測を要求する旨の電子メールを受信したと判定されるまで、判定の処理を繰り返す。
【０１１９】
このようにして、センタ７３は、計測装置７５から送信されてきた計測結果を基に、計測通知を生成し、生成した計測通知を、通信網７２を介して、携帯電話機７１あてに送信する。
【０１２０】
以上のようにして、センタ７３は、形態電話機７１から送信されてきた電子メールを基に、計測要求を生成し、生成した計測要求を、通信網７４を介して、計測装置７５あてに送信する。また、センタ７３は、計測装置７５から送信されてきた計測結果を基に、計測通知を生成し、生成した計測通知を、通信網７２を介して、携帯電話機７１あてに送信する。
【０１２１】
本発明によれば、計測要求を送信するようにしたので、計測結果を知ることができる。また、本発明によれば、受信した電子メールを基に計測要求を送信するようにしたので、携帯電話機からの要求に応じて、計測結果を通知することができる。
【０１２２】
なお、センタにLANなどの通信網を介して、計測装置が接続されていると説明したが、通信網を介さずに計測装置を接続するようにしてもよい。
【０１２３】
本発明は、携帯電話機から送信する電子メールによって、計測結果の問い合わせを行う計測システムに適用できる。
【図面の簡単な説明】
【０１２４】
【図１】本発明に係る監視装置の一実施の形態の構成を示すブロック図である。
【図２】状態制御の処理を説明するフローチャートである。
【図３】スリープ状態から通常状態に復帰する場合における監視装置の処理を説明するタイムチャートである。
【図４】連続してスリープ状態にする場合における監視装置の処理を説明するタイムチャートである。
【図５】警報状態において、内部温度の瞬時値がＨ値以上となった場合における監視装置の処理を説明するタイムチャートである。
【図６】断電状態になるのと同時刻に、内部温度の瞬時値がＨ値以上となった場合における監視装置の処理を説明するタイムチャートである。
【図７】本発明に係る計測システムの一実施の形態を示す図である。
【図８】電子メールを説明する図である。
【図９】計測装置ＩＤテーブルを説明する図である。
【図１０】計測通知の送信の処理を説明するフローチャートである。
【符号の説明】
【０１２５】
２１  電源供給部，  ２２  電源切換部，  ２３  状態計測部，  ２４  内部温度計測部，  ２５  制御部，  ２７  通信部  ８１  受信部，  ８２  計測制御部，  ８３  送信部，  ８４  計測装置ＩＤテーブル記録部，  ８５  計測履歴記録部
【図１】
2009015546.tif 000003
【図２】
2009015546.tif 000004
【図３】
2009015546.tif 000005
【図４】
2009015546.tif 000006
【図５】
2009015546.tif 000007
【図６】
2009015546.tif 000008
【図７】
2009015546.tif 000009
【図８】
2009015546.tif 000010
【図９】
2009015546.tif 000011
【図１０】
2009015546.tif 000012